(57)【要約】【課題】開口部の任意の位置に窓部、壁部を設定可能な建築物用壁構造及びこの構造を用いたコンクリート製の集合住宅、並びに木造住宅を提供する。【解決手段】本発明は、建築物としての集合住宅１の室内外又は室内同士間に設けられた開口部３に設置される集合住宅用壁構造であって、開口部３に着脱可能に設置される窓体部８と、この窓体部８に隣接して開口部３に着脱可能にかつ設置位置が移動可能な壁体部９とからなることを特徴とする。【選択図】図１
2007071010.tif 000002
【特許請求の範囲】
【請求項１】
建築物の室内外又は室内同士間に設けられた開口部に設置される建築物用壁構造であって、
前記開口部に着脱自在に設置される窓体部と、この窓体部に隣接して前記開口部に着脱自在にかつ設置位置が移動可能な壁体部とからなることを特徴とする建築物用壁構造。
【請求項２】
前記建築物がコンクリート製の集合住宅であることを特徴とする請求項１記載の建築物用壁構造。
【請求項３】
前記建築物が木造住宅であることを特徴とする請求項１記載の建築物用壁構造。
【請求項４】
請求項２又は請求項３に記載の建築物用壁構造であって、
前記窓体部が前記開口部内縁部に固定される窓枠と、この窓枠の一部に設置される窓部とで形成され、前記窓枠に前記壁体部が固定手段を介して着脱可能にかつ設置位置が移動可能に設置されることを特徴とする建築物用壁構造。
【請求項５】
請求項２乃至請求項４のいずれか一項に記載の建築物用壁構造であって、
前記固定手段が、前記窓枠に設けられて前記窓部が嵌め込まれる溝部と、この溝部に一端が挿入固定され他端が前記壁体部に固定されて前記壁体部を前記窓枠に固定する固定プレートとからなることを特徴とする建築物用壁構造。
【請求項６】
請求項２乃至請求項５のいずれか一項に記載の建築物用壁構造であって、
前記固定手段が、前記開口部内壁に固定されたアンカー部材と、このアンカー部材に一側が固定され他側に前記壁体部に予め埋設されたボルトが挿通される挿通孔が設けられた固定プレートとからなることを特徴とする建築物用壁構造。
【請求項７】
請求項２乃至請求項６のいずれか一項に記載の建築物用壁構造であって、
前記壁体部には、前記窓体部より外形が小さい窓体部が設けられていることを特徴とする建築物用壁構造。
【請求項８】
請求項１乃至請求項７に記載の建築物用壁構造が開口部に用いられていることを特徴とするコンクリート製の集合住宅。
【請求項９】
請求項１乃至請求項７に記載の建築物用壁構造が開口部に用いられていることを特徴とする木造住宅。
【発明の詳細な説明】
【技術分野】
【０００１】
本発明は、マンション等の集合住宅や木造住宅に用いられる建築物用壁構造及びこれを用いたコンクリート製の集合住宅、並びに木造住宅に関する。
【背景技術】
【０００２】
マンション等の集合住宅において、室内の間取りを自由に変更できる住戸構造が特許文献１で提案されている。この住戸構造では、可動間仕切りを用いて部屋部分と、水回り部分とを自由に区画することができ、ライフスタイルの変化に対応して自由な間仕切りが可能となっている。この場合、マンションのベランダ側、玄関が設けられる通路側の窓（開口部）位置の変更を行うことはなく、室内の間仕切り位置のみを変更することで自由な住戸構造を形成することができる。
【０００３】
また、木造一戸建て住宅においても、リフォーム等により室内の間取りを変更して自由な住戸構造を形成することができる。
【特許文献１】特開２０００−３２０１６８号
【発明の開示】
【発明が解決しようとする課題】
【０００４】
ところが、この先行技術文献では、バルコニー側の壁の位置、窓を移動することができないので、室内の間取りを自由に変更できたとしても、窓位置、バルコニー側の壁位置、通路側の壁位置を変更できない。
【０００５】
一般に、マンション等の集合住宅において、ベランダ側や通路側の壁は、室内換気孔を設けたり、空調用屋外機からの配管を通す孔を設ける必要から予めマンションのベランダ側、通路側の開口部に必ず形成されており、この壁はマンションを建築する際に予め一体に形成されている。
【０００６】
ところが、上記先行技術文献のように、室内の間仕切りは自由に変更できても、上記したようにベランダ側、通路側に予め設けられている窓位置や壁位置を変更することができないので、室内換気孔の位置や、空調用屋外機の位置を変更することができない。このため、室内に設けた個室の窓位置や、壁位置に制約が生じるので、ある程度のレイアウトの変更はできるが、全く自由な間取りに室内を変更することができない。
【０００７】
さらに、一戸建て住宅のような木造住宅においても、ベランダ側の開口部の位置を変更したり、外壁の位置を変更する場合には、いわゆるリフォーム工事となって大がかりな作業となり簡単に開口部及び外壁の位置を変更することはできない。
【０００８】
そこで、本発明は、集合住宅や木造住宅等の建築物において、開口部の任意の位置に窓部、壁部を設定可能な建築物用壁構造及びこれを用いたコンクリート製の集合住宅、並びに木造住宅の提供を目的とする。
【課題を解決するための手段】
【０００９】
上記目的を達成するため請求項１の発明は、建築物の室内外又は室内同士間に設けられた開口部に設置される建築物用壁構造であって、前記開口部に着脱自在に設置される窓体部と、この窓体部に隣接して前記開口部に着脱自在にかつ設置位置が移動可能な壁体部とからなることを特徴とする。
【００１０】
この発明では、建築物の開口部、例えば集合住宅におけるベランダ側の開口部や木造住宅の開口部において、壁体部の位置を自由に移動することができるので、自由な位置に窓体部や壁体部を設置することができる。この結果、室内の間取りをライフスタイルに合わせて自由に変更する際に、窓位置、壁位置も任意の位置に変更できるので全く自由な間取りを実現することができる。
【００１１】
請求項２の発明は、請求項１の発明であって、建築物がコンクリート製の集合住宅であることを特徴とする。
【００１２】
この発明では、集合住宅におけるベランダ側の開口部や木造住宅の開口部において、壁体部の位置を自由に移動することができるので、自由な位置に窓体部や壁体部を設置することができる。この場合、集合住宅の開口部としては、ベランダ側の開口部の他に、玄関口が設定される通路側の開口部や、集合住宅の室内の開口部にも本願発明を用いることが出来る。この結果、室内の間取りをライフスタイルに合わせて自由に変更する際に、窓位置、壁位置も任意の位置に変更できるので全く自由な間取りを実現することができる
請求項３の発明は、請求項１記載の発明であって、建築物が木造住宅であることを特徴とする。
【００１３】
この発明では、木造家屋の場合にも木造家屋の開口部において壁体部の位置を自由に移動することができ、自由な位置に窓体部を設置することができる。この場合の開口部としては、窓が設けられた外壁、外壁に設けられた大型の窓部分の開口部についても本発明を用いることができる。
【００１４】
請求項４の発明は、請求項２又は請求項３に記載の建築物用壁構造であって、
前記窓体部が前記開口部内縁部に固定される窓枠と、この窓枠の一部に設置される窓部とで形成され、前記窓枠に前記壁体部が固定手段を介して着脱可能にかつ設置位置が移動可能に設置されることを特徴とする。
【００１５】
この発明では、窓部が嵌め込まれる窓枠の溝部を利用して壁体部を任意の位置に固定することができる。
【００１６】
請求項５の発明は、請求項２乃至請求項４のいずれか一項に記載の建築物用壁構造であって、前記固定手段が、前記窓枠に設けられて前記窓部が嵌め込まれる溝部と、この溝部に一端が挿入固定され他端が前記壁体部に固定されて前記壁体部を前記窓枠に固定する固定プレートとからなることを特徴とする。
【００１７】
請求項６の発明は、請求項２乃至請求項５のいずれか一項に記載の建築物用壁構造であって、前記固定手段が、前記開口部内壁に固定されたアンカー部材と、このアンカー部材に一側が固定され他側に前記壁体部に予め埋設されたボルトが挿通される挿通孔が設けられた固定プレートとからなることを特徴とする。
【００１８】
この発明では、集合住宅の開口部の内壁に埋め込まれたアンカー部材に固定プレートを介して壁体部を任意の位置に固定することができる。
【００１９】
請求項７の発明は、請求項２乃至請求項６のいずれか一項に記載の建築物用壁構造であって、前記壁体部には、前記窓体部より外形が小さい窓体部が設けられていることを特徴とする。
【００２０】
この発明では、壁体部に、窓体部より外形が小さい窓体部が設けられているので、窓として用いる開口面積を広く取ることができる。
【００２１】
請求項８の発明は、コンクリート製の集合住宅において、請求項１乃至請求項７に記載の建築物用壁構造が開口部に用いられていることを特徴とする。
【００２２】
この集合住宅によれば、開口部に設定する窓位置や壁位置を任意の位置に設定できると共に、窓数や壁の数も任意に設定することができるので、自由な間取り変更が可能となる。
【００２３】
請求項９の発明は、木造住宅において、請求項１乃至請求項７に記載の建築物用壁構造が開口部に用いられていることを特徴とする。
【００２４】
この木造住宅によれば、開口部に設定する窓位置や壁位置を任意の位置に設定できると共に、窓数や壁の数も任意に設定することができるので、自由な間取り変更が可能となる。
【発明の効果】
【００２５】
請求項１の発明によれば、建築物の開口部において、壁体部の位置を自由に移動することができるので、自由な位置に窓体部を設置することができ、室内の間取りをライフスタイルに合わせて自由に変更する際に、窓位置、壁位置も任意の位置に変更できるので全く自由な間取りを実現することができる。
【００２６】
請求項２の発明によれば、集合住宅におけるベランダ側の開口部や木造住宅の開口部において、壁体部の位置を自由に移動することができるので、自由な位置に窓体部や壁体部を設置することができる。この場合、集合住宅の開口部としては、ベランダ側の開口部の他に、玄関が設定される通路側の開口部や、集合住宅の室内の開口部にも本願発明を用いることが出来る。この結果、室内の間取りをライフスタイルに合わせて自由に変更する際に、窓位置、壁位置も任意の位置に変更できるので全く自由な間取りを実現することができる。
【００２７】
請求項３の発明によれば、木造家屋の場合にも木造家屋の開口部において壁体部の位置を自由に移動することができ、自由な位置に窓体部を設置することができる。この場合の開口部としては、窓が設けられた外壁、外壁に設けられた大型の窓部分の開口部についても本発明を用いることができる。
【００２８】
請求項４の発明によれば、窓部が嵌め込まれる窓枠の溝部を利用して壁体部を任意の位置に固定することができる。
【００２９】
請求項５の発明によれば、窓部が嵌め込まれる窓枠の溝部を利用して壁体部を任意の位置に固定することができる。
【００３０】
請求項６の発明によれば、集合住宅の開口部の内壁に埋め込まれたアンカー部材に固定プレートを介して壁体部を任意の位置に固定することができる。
【００３１】
請求項７の発明によれば、壁体部に、窓体部より外形が小さい窓体部が設けられているので、窓として用いる開口面積を広く取ることができる。
【００３２】
請求項８の発明によれば、集合住宅において、開口部に設定する窓位置や壁位置を任意の位置に設定できると共に、窓数や壁の数も任意に設定することができるので、自由な間取り変更が可能となる。
【００３３】
請求項９の発明によれば、木造住宅において、開口部に設定する窓位置や壁位置を任意の位置に設定できると共に、窓数や壁の数も任意に設定することができるので、自由な間取り変更が可能となる。
【発明を実施するための最良の形態】
【００３４】
以下、本発明の実施形態を図面に基づいて説明する。
【００３５】
＜第１実施形態＞
以下図１乃至図６を用いて第１実施形態について説明する。
【００３６】
図１は集合住宅（以下「マンション」という）のベランダ２側の開口部３を示す平面図、図２は斜視図、図３は壁体部９の上部と開口部３の内壁１０との固定部分を示す側面図、図４は固定部分を示す斜視図、図５は壁体部９の下部と開口部３の梁部７との固定部分を示す側面図、図６は斜視図である。
【００３７】
図１及び図２に示すように、本実施形態の壁構造が用いられたマンション１のベランダ２側の開口部３は、垂直な縦柱４、５と、これらの縦柱４、５間を繋ぐ梁部７とで略矩形状に形成されている。そして、本実施形態の壁構造は、開口部３に着脱可能に設置される窓体部８と、この窓体部８に隣接して開口部３に着脱可能にかつ設置位置が移動可能な壁体部９とからなる。
【００３８】
窓体部８は、いわゆる通常マンションに用いられる窓で、アルミ製のサッシ枠と、このサッシ枠に嵌め込まれる引き違い式の窓からなる。壁体部９は、コンクリートで製造された板部材で、上下でマンション１の開口部３の梁部１０に固定手段１１を介して直接固定されている。
【００３９】
図３及び図４に示すように、壁体部９の上部の固定手段１１は、開口部３の内壁１０に固定されたアンカー部材１２と、このアンカー部材１２に一側が固定され他側に壁体部９に予め埋設されたボルト１３が挿通される挿通孔１４が設けられた固定プレート１５とからなる。アンカー部材１２は、開口部の梁部７内に埋設されたアンカー１６とこのアンカー１６に固定されると共に開口部内壁に沿って配設される断面Ｌ字状のアングル１７とで形成されている。このアングル１７の一面側にアンカー１６が溶接される溶接面１８が形成され、他面側に壁体部９が当接する当接面１９が形成されている。固定プレート１５は、当接面１９の反対側の面に当接する押さえ面２０と、壁体部９に予め埋設されたボルト１３が挿通される挿通孔２１が形成されたボルト止め部２２とで形成されている。
【００４０】
そして、図３及び図４に示すように、アングル１７の当接面に壁体部９の上端部９ａを当接させ、固定プレート１５を反対側から当接させると共に、ボルト１３を挿通孔２１に挿通させてナット２３で締め付け、アングル１７を壁体部９と固定プレート１５とで挟持することで壁体部９が梁部７に固定される。
【００４１】
また、図５及び図６に示すように、壁体部９の下部側も上部側と同様に、開口部３の下部側の梁部７に固定される。この下部側では、アングル１７の下部に短いアングル２４がアンカー１６に溶接固定されている。このアングル２４にアングル１７が溶接固定されている。
【００４２】
なお、図において符号６は、開口部３の内壁１０と壁体部９の端面との間からの水、風の浸入を防止するシール材である。
【００４３】
本実施形態の壁構造では、図１及び図８に示すように、壁体部９が一方の縦柱４側に設定配置されて、図３乃至図６に示す固定手段１１によって固定され、残りの開口部分に、窓体部８が設定配置されている。そして、ライフスタイル等に合わせて間取り変更等を行う場合に、図７に示すように窓体部８を開口部３の中間位置に設定配置し、その両側の残りの開口部分に窓体部８を設定配置することができる。
【００４４】
従って、本実施形態によれば、壁体部９と窓体部８の位置を任意の位置に設定配置することができるので、マンションの開口部３、本実施形態ではベランダ側の開口部３において、壁体部９の位置を自由に移動することができ、自由な位置に窓体部８を設置することができ、室内の間取りを自由に変更する際に、窓位置、壁位置も任意の位置に変更できるので全く自由な間取りを実現することができる。
【００４５】
この場合、ベランダ２側の開口部３以外に、通路側の開口部にもこの発明を用いることができ、さらには、隣接する部屋同士の壁構造にも本発明を用いることができ、集合住宅の開口部であれば、自由な位置に壁体部、窓体部を設定することができる。
【００４６】
なお、上記実施形態において壁体部９に、窓体部８より外形が小さな窓体部９ａを設けても良い。この場合には、開口部分を大きくすることができるので、より室内を明るくすることができる。
【００４７】
また、上記実施形態では、壁体部８内に埋設した鉄筋にボルト１３を連結した壁体部９の例を示したが、これに限らず、図９に示すように、金属製の板材４２を壁体部９に埋設させ、この板材４２にボルト４３を連結した構成でも良く、図１０に示すように、フランジ付きの雌ねじ部材４４を壁体部９に埋設させ、雌ねじ部材４４にボルト４５を螺合させる構成でも良い。
【００４８】
さらに、図１１（ａ）、（ｂ）に示すように、Ｔ形プレート４７を壁体部９の屋外側に取り付け、通しボルト４６を屋内側に向けて貫通させ、ナットを締め付けて壁体部９を固定する構成でも良い。なお、図１１（ｂ）は、図１１（ａ）のＢ方向から見た矢視図である。
【００４９】
＜第２実施形態＞
次に図１２乃至図１５を用いて第２実施形態について説明する。なお、第１実施形態と同構成部分については図面に同符号を付して重複した説明を省略する。図１２は、開口部３を縦方向に切断した側断面図であり、図１３は水平方向に切断した平断面図である。
【００５０】
本実施形態では、窓体部８が開口部３の内縁部に固定される窓枠３０と、この窓枠３０の一部に設置される窓部３１とで形成され、窓枠３０に壁体部９が固定手段３２を介して着脱可能にかつ設置位置が移動可能に設置されている。また、固定手段３２は、窓枠３０に設けられて窓部３１が嵌め込まれる溝部３３と、この溝部３３に一端が挿入固定され他端が壁体部９に固定されて壁体部９を窓枠３０に固定する固定プレート３４とからなる。
【００５１】
図１２び図１３に示すように窓枠３０は、通常のマンションの開口部３に設置されるいわゆるサッシで、開口部３の内壁１０に添った矩形状の枠体で形成されている。この枠体の内壁側には、窓部（ガラス戸）が通常はめ込まれる溝部３３が上部及び下部に形成されている。溝部３３の室外側には、水抜き用の溝３５が設けられ、梁部７との間にはシール材３６が設けられている。
【００５２】
固定プレート３４は、壁体部９の下端側を支持する支持面３７と、この支持面３７の一端側に設けられて上記溝部３３に挿入される挿入支持部３８と、他端側に設けられて壁体部９に固定される固定部３９とで形成されている。固定部３９には壁体部９が当接する当接面と、壁体部９に埋設されたボルト１３が挿通される挿通孔４０が設けられている。そして、室内側でボルト１３により固定された固定プレート３４の挿入支持部３８を溝部３３内に挿入することにより、壁体部９が窓枠３０に固定される。なお、図１２及び図１３において符号４１は、室内側に設けられた仕上げ材を示す。
【００５３】
また、図１２に示すように、窓枠３０の両側は、シール材３２を介して壁体部９の側面が当接している。従って、壁体部９は、上下の部分が窓枠３０の溝３３にそれぞれはめ込まれ、両側がシール材３２によりシールされることにより窓枠３０に固定されている。
【００５４】
本実施形態によれば、ベランダ２側の開口部３において、図１４及び図１５に示すように、壁体部９の位置を自由に移動することができるので、自由な位置に窓体部８を設置することができ、室内の間取りをライフスタイルに合わせて自由に変更する際に、窓位置、壁位置も任意の位置に変更できるので全く自由な間取りを実現することができる。
【００５５】
この場合、ベランダ２側の開口部以外に、通路側の開口部にもこの発明を用いることができ、さらには、隣接する部屋同士の壁構造にも本発明を用いることができ、集合住宅の開口部であれば、自由な位置に壁体部、窓体部を設定することができる。
【００５６】
また、開口部３に窓枠３０を固定し、この窓枠３０に窓部３１を嵌め込むと共に、この窓枠３０を利用して壁体部９を設置するので、壁体部９を固定するための固定部材を予め梁部に埋設する必要がなく、安価に壁体部９を固定することができ、マンション建設コストを低減することができる。
【００５７】
＜第３実施形態＞
次に第３実施形態について説明する。本実施形態は、本発明に係る建築物用壁構造を木造住宅に用いた例である。
【００５８】
図１６は木造住宅５０の間取りを示す平面図であり、（ａ）は１階部分を示し、（ｂ）は２階部分を示す。図１７（ａ）は図１６のＡ方向から見た正面図であり、図１７（ｂ）は窓の一部を壁に変更した状態を示す正面図である。図１８は、開口部５１の一部に壁体部５５を固定した状態を示す断面図であり、図１９は窓枠５４に壁体部５５を固定した状態を示す断面図である。
【００５９】
図１６（ａ）に示すように木造住宅５０の開口部５１には、四枚のガラス戸５２、５２、５２、５２からなる窓体部５３で開閉されるようになっている。窓体部５３は、開口部５１の内縁部の上下を形成する梁５７、５７に固定された窓枠５４と、この窓枠５４に設置された窓部５５とで形成されている。
【００６０】
この状態の開口部５１の一部を壁体部５５によって閉鎖した状態を図１７（ｂ）に示す。この状態では、開口５１に２枚のガラズ戸からなる窓体部５３が固定され、残りの開口部５１には、壁体部５７が固定手段によって固定されている。
【００６１】
コンクリート製の集合住宅の場合には、コンクリート製の梁７に壁体部９を固定したが、図１８に示すように木造住宅の場合には木製の梁５７、５７（開口部５１を形成する木製の枠）に壁体部５５が固定手段を介して固定される。固定手段は、上記した第１実施形態、第２実施形態で説明した固定手段１１、３２と同構成のものが用いられている。なお、図において符号５６は、雨戸を入れる雨戸収納部を示す。
【００６２】
そして、図１７の（ａ）の状態から、４枚のガラス戸５２、５２、５２、５２を２枚のガラス戸として、残りの部分に壁体部５５を開口部５１に固定することにより、図１７（ｂ）に示すように開口部５１の任意の位置に壁部分を設定することができる。
【００６３】
また、図１９は、窓体部５３の窓枠５４を用いて、壁体部５５を固定する例を示す。この場合には、窓枠５４に嵌め込むことができるように壁体部５５の上下端を形成し、ガラス戸５２を嵌め込むように窓枠５４に壁体部５５を嵌め込むことにより壁体部５５が固定される。窓枠５４をそのまま用いることによって、壁体部５５を固定するための特別な固定手段等を設定する必要がない。
【００６４】
また、図２０に示すように、壁体部５５の位置を図１７（ｂ）に示す例と異なる位置に配置することもできる。この場合、雨戸５６の位置を移動し、雨戸５６を壁体部５５に設置することにより、窓体部５３の位置を自由に設定することができる。
【００６５】
なお、図１８、図１９において、符号５８は床面を示す。
【００６６】
従って、本実施形態によれば、壁体部５５と窓体部５３の位置を任意の位置に設定配置することができるので、木造住宅の開口部５１において、壁体部５５の位置を自由に移動することができ、自由な位置に窓体部５３を設置することができ、室内の間取りを自由に変更する際に、窓位置、壁位置も任意の位置に変更できるので全く自由な間取りを実現することができる。
【００６７】
この場合、表側に面した開口部５１以外に、室内の開口部にもこの発明を用いることができ、さらには、隣接する部屋同士の壁構造にも本発明を用いることができ、木造住宅の開口部であれば、自由な位置に壁体部、窓体部を設定することができる。
【００６８】
なお、上記実施形態において壁体部５５に、窓体部５３より外形が小さな窓体部（図１７（ｂ）参照）６０を設けても良い。この場合には、開口部分を大きくすることができるので、より室内を明るくすることができる。
【００６９】
また、本実施形態では、いわゆる木製の柱を用いた在来工法の木造住宅について説明したが、軽量鉄骨構造の木造住宅、ツーバイフォー式の木造住宅においても、本願発明を用いることができる。
【００７０】
また、ツーバイフォー式の木造住宅の場合には、構造を形作る壁全体を、窓体部と壁体部との配置が異なる壁と交換することによっても壁体部と窓体部との位置を変えることができる。
【図面の簡単な説明】
【００７１】
【図１】第１実施形態を示し、マンションのベランダ側を示す平面図。
【図２】第１実施形態を示し、マンションのベランダ側の開口を示す斜視図。
【図３】第１実施形態を示し、壁体部の上部を開口部に固定する構造を示す側面図。
【図４】第１実施形態を示し、壁体部の上部を開口部に固定する構造を示す斜視図。
【図５】第１実施形態を示し、壁体部の下部を開口部に固定する構造を示す側面図。
【図６】第１実施形態を示し、壁体部の下部を開口部に固定する構造を示す斜視図。
【図７】第１実施形態を示し、壁体部を開口部の中心に設定した状態を示す正面図。
【図８】第１実施形態を示し、壁体部を開口部の右側に設定した状態を示す正面図。
【図９】第１実施形態の変形例を示し壁体部の他の例を示す断面図。
【図１０】第１実施形態の変形例を示し壁体部の他の例を示す断面図。
【図１１】第１実施形態の変形例を示し壁体部の他の例を示し、（ａ）は断面図、（ｂ）は（ａ）のＢ方向矢視図。
【００７２】
示す断面図。
【図１２】第２実施形態を示し、壁体部を窓枠に固定する構造を示す側面図。
【図１３】第２実施形態を示し、壁体部を窓枠に固定する構造を示す平面図。
【図１４】第２実施形態を示し、壁体部を開口部の中心に設定した状態を示す正面図。
【図１５】第２実施形態を示し、壁体部を開口部の右側に設定した状態を示す正面図。
【図１６】第３実施形態を示し、（ａ）は木造住宅の１階部分を示す平面図、（ｂ）は２階部分を示す平面図である。
【図１７】第３実施形態を示し、（ａ）は木造住宅の一部を示す正面図、（ｂ）は窓体部と壁体部の位置を示す正面図である。
【図１８】第３実施形態を示し、開口部に壁体部を固定した状態を示す断面図である。
【図１９】第３実施形態を示し、開口部の窓枠に壁体部を固定した状態を示す断面図である。
【図２０】窓体部と壁体部の位置を変えた状態を示す正面図である。
【符号の説明】
【００７３】
１  マンション
３  開口部
８  窓体部
９  壁体部
【図１】
2007071010.tif 000003
【図２】
2007071010.tif 000004
【図３】
2007071010.tif 000005
【図４】
2007071010.tif 000006
【図５】
2007071010.tif 000007
【図６】
2007071010.tif 000008
【図７】
2007071010.tif 000009
【図８】
2007071010.tif 000010
【図９】
2007071010.tif 000011
【図１０】
2007071010.tif 000012
【図１１】
2007071010.tif 000013
【図１２】
2007071010.tif 000014
【図１３】
2007071010.tif 000015
【図１４】
2007071010.tif 000016
【図１５】
2007071010.tif 000017
【図１６】
2007071010.tif 000018
【図１７】
2007071010.tif 000019
【図１８】
2007071010.tif 000020
【図１９】
2007071010.tif 000021
【図２０】
2007071010.tif 000022